(57)【特許請求の範囲】
【請求項１】
ＣＡＴＶ局からデジタル放送される、緊急放送を伝送していることを示すと共に、ＣＡＴＶ局から送信されるデータに挿入されているブロック誤り訂正符号のブロックの先頭を示す同期コードが、通常放送時に用いられる通常同期コードと緊急放送時に用いられる緊急同期コードからなる第１の放送周波数と、緊急放送の開始／終了等の緊急情報データを伝送する第２の放送周波数とを受信可能なＣＡＴＶ用放送受信装置において、
前記第１の放送周波数および前記第２の放送周波数と、前記通常同期コードおよび前記緊急同期コードを記憶する記憶手段と、主電源がオフである待機状態において、当該ＣＡＴＶ用放送受信装置を前記第１の放送周波数に同調させる手段と、前記第１の放送周波数の同調状態において、受信された入力ビットストリームと前記緊急同期コードとの同期捕捉を行う同期捕捉手段と、前記同期捕捉手段において同期の確立が得られた時、緊急放送が伝送されていると判断する緊急放送検出手段と、前記緊急放送検出手段において緊急放送が検出された時、前記主電源をオンし、当該ＣＡＴＶ用放送受信装置を前記第２の放送周波数に同調させる手段と、前記第２の放送周波数の同調状態において、前記入力ビットストリーム中に伝送される緊急情報データを参照し、この緊急情報データが緊急放送中であることを示している時は、視聴者に緊急であることを告知する緊急告知手段と、前記緊急情報データが緊急放送終了であることを示している時は、前記緊急の告知を終了し、当該ＣＡＴＶ用放送受信装置を前記第１の放送周波数に同調させると共に、前記主電源をオフにして待機状態にする手段と、を具備することを特徴とするＣＡＴＶ用放送受信装置。
【請求項２】
ＣＡＴＶ局からデジタル放送される、緊急放送を伝送していることを示すと共に、ＣＡＴＶ局から送信されるデータに挿入されているブロック誤り訂正符号のブロックの先頭を示す同期コードが、通常放送時に用いられる通常同期コードと緊急放送時に用いられる緊急同期コードからなる第１の放送周波数と、緊急放送の開始／終了等の緊急情報データを伝送する第２の放送周波数とを受信可能であって、前記第１の放送周波数と第２の放送周波数が等しいＣＡＴＶ用放送受信装置において、
前記第１の放送周波数および前記第２の放送周波数と、前記通常同期コードおよび前記緊急同期コードを記憶する記憶手段と、主電源がオフである待機状態において、当該ＣＡＴＶ用放送受信装置を前記第１の放送周波数に同調させる手段と、前記第１の放送周波数の同調状態において、受信された入力ビットストリームと前記緊急同期コードとの同期捕捉を行う同期捕捉手段と、前記同期捕捉手段において同期の確立が得られた時、緊急放送が伝送されていると判断する緊急放送検出手段と、前記緊急放送検出手段において緊急放送が検出された時、前記主電源をオンする手段と、前記緊急放送検出手段において緊急放送が検出された時、誤り訂正後に、前記緊急同期コードを通常同期コードに戻す同期コード付け替え手段と、前記第１の放送周波数の同調状態において、前記入力ビットストリーム中に伝送される緊急情報データを参照し、この緊急情報データが緊急放送中であることを示している時は、視聴者に緊急であることを告知する緊急告知手段と、前記緊急情報データが緊急放送終了であることを示している時は、前記緊急の告知を終了し、前記主電源をオフにして待機状態にする手段と、を具備することを特徴とするＣＡＴＶ用放送受信装置。
【請求項３】
前記緊急同期コードに緊急放送の対象地域コードを割り当てたことを特徴とする請求項１または請求項２記載のＣＡＴＶ用放送受信装置。
【請求項４】
前記緊急放送検出手段において緊急放送が検出された時、受信された入力ビットストリームの緊急同期コードと前記対象地域コードと比較して、緊急放送の対象地域に該当するかを判断する手段を具備することを特徴とする請求項３記載のＣＡＴＶ用放送受信装置。
【請求項５】
前記同期捕捉手段は、前記通常同期コードと入力ビットストリームの同期が追従できない時は、同期コードを緊急同期コードに変更して、前記入力ビットストリームと前記緊急同期コードとの同期捕捉を行うことを特徴とする請求項１または請求項２記載のＣＡＴＶ用放送受信装置。
【請求項６】
前記緊急告知手段は、当該ＣＡＴＶ用放送受信装置に内蔵された警報ブザーおよび／またはオンスクリーンディスプレイにより緊急事態を視聴画面に表示することを特徴とする請求項１または請求項２記載のＣＡＴＶ用放送受信装置。
【発明の詳細な説明】
【０００１】
【発明の属する技術分野】
本発明は、デジタルＣＡＴＶシステムにおける緊急放送を受信する受信装置に関する。
【０００２】
【従来の技術】
図１２に、従来のデジタルＣＡＴＶ用放送受信装置の構成の一例を示す。
【０００３】
同図において、１は、例えば９０〜７７０ＭＨｚの高周波帯から６ＭＨｚのバンド幅を持つ１チャンネルに周波数を同調させるチューナーであり、将来的には全高周波帯が現行アナログ放送からデジタル放送あるいはデジタル通信に移行するようになることから、ここではデジタル放送受信用チューナー（以下、単にチューナーと称する）を想定している。２はデジタル変調に対応したデジタル復調器であり、ＣＡＴＶの場合、一般的に６４ＱＡＭが採用されている。３０は後段のブロック符号による誤り訂正部において、ブロック先頭を検出するための同期処理部であり、図１３に示すＩＳＯ／ＩＥＣ１３８１８−１で規定されているＭＰＥＧ２トランスポートパケット（以下、ＴＳパケット）の先頭同期バイトを検出の対象としている。４はＴＳパケットに誤りが発生していた場合に誤りの検出およびその訂正を行う誤り訂正部であり、図１３に示すように、１個のＴＳパケット１８８バイト当たり１６バイトの誤り訂正符号が追加される。以降、誤り訂正符号が付加されたＴＳパケットをフレームと呼ぶことにする。一般的に、この誤り訂正方式としてはヨーロッパのＥＴＳ（Ｅｕｒｏｐｅｎ  Ｔｅｌｅｃｏｍｍｕｎｉｃａｔｉｏｎ  Ｓｔａｎｄａｒｄ）規格ＥＴＳ−３００−４２９が採用されており、誤り訂正符号としてリードソロモン符号が使われている。リードソロモン符号はブロック符号に属し、ＥＴＳ−３００−４２９では１ＴＳパケットを１ブロックとして扱うため、各ＴＳパケットの先頭にブロック先頭を示す１バイトの同期コード（通常は４７ヘキサの値で８ＴＳパケット毎に反転）が付加され、後段のデマルチプレクサー５と整合を取るため、本誤り訂正でこの同期コード反転は元に戻される。５はチューナー１で選択されたチャンネル内に多重化伝送されている複数のサブチャンネルやＮＩＴ、ＰＡＴ、ＰＭＴ等のＰＳＩ（Ｐｒｏｇｒａｍ  Ｓｐｅｃｉｆｉｃ  Ｉｎｆｏｒｍａｔｉｏｎ）あるいはＳＩ（Ｓｅｒｖｉｃｅ  Ｉｎｆｏｒｍａｔｉｏｎ）を分離するデマルチプレクサーであり、コントローラ１０の選局処理により、ユーザー所望の番組に該当した映像ＰＥＳパケットおよび音声ＰＥＳパケットを出力する。また、デマルチプレクサー５は放送局側と同一の時刻を共有するため、伝送されている参照基準時刻ＰＣＲ（Ｐｒｏｇａｍ  Ｃｌｏｃｋ  Ｒｅｆｅｒｅｎｃｅ）とフェーズロックループ回路から、２７ＭＨｚのＳＴＣ（Ｓｙｓｔｅｍ  Ｔｉｍｅ  Ｃｌｏｃｋ）を再生し、放送局側と同期を取っている。６はＩＳＯ／ＩＥＣ１３８１８−２で規定されているＭＰＥＧ２ビデオのＰＥＳパケットを復号するビデオデコーダであり、内蔵されているＯＳＤ（Ｏｎ  Ｓｃｒｅｅｎ  Ｄｉｓｐｌａｙ）機能により、ＥＰＧ（電子番組ガイド）を放送画面と合成してテレビヘ出力する。７はＩＳＯ／ＩＥＣ１３８１８−３で規定されているＭＰＥＧ２オーディオのＰＥＳパケットを復号するオーディオデコーダである。８および９はそれぞれビデオ／オーディオのＤ／Ａ変換器で、例えばコンポジットビデオ信号とステレオ信号を出力してＴＶに表示する。１０はコントローラであり、リモコン制御やＰＳＩ／ＳＩの処理に使われ、一般的に動作周波数としては数十ＭＨｚ〜数百ＭＨｚのものが使用される。
【０００４】
次に、このデジタルＣＡＴＶ用放送受信装置における待機時の緊急放送受信について説明をする。
【０００５】
日本ＣＡＴＶ技術協会ＪＣＴＥＡ  ＳＴＤ−００３−１．１によると緊急放送時にはＳＩ内のＮＩＴまたはＰＭＴに、図１４に示すような緊急情報記述子をＣＡＴＶ局が伝送することになっている。従って、ＣＡＴＶ受信装置ではこの記述子が送られて来ているか否かを常時監視するために、チューナー１、デジタル復調器２、同期処理部３０、誤り訂正部４、デマルチプレクサー５およびコントローラ１０をＣＡＴＶ受信装置が待機状態でも通電しておく必要がある。
【０００６】
緊急放送受信時の動作フローを図１５を用いて説明する。
【０００７】
先ず、ステップ７１で、デマルチプレクサー５でＮＩＴまたはＰＭＴが入力ビットストリーム中から取得されたかを判別し、取得していた時は、ステップ７２において、コントローラ１０は、これらのテーブルを解釈し、さらに緊急情報記述子が含まれているかを確認する。もし、緊急情報記述子が含まれていなければ、ステップ７３で、ＳＩテーブルの更新等の処理を行い、再びポーリング状態に戻る。緊急情報記述子が含まれている場合は、ステップ７４で、緊急情報記述子内の緊急放送開始／終了フラグが放送中（ｓｔａｒｔ＿ｅｎｄ＿ｆｌａｇ＝１）か否かを識別する。もし、放送中であれば、ステップ７５，７６で、ａｒｅａ＿ｃｏｄｅフィールドに記載された地域と予め不揮発メモリー１２に記憶されている居住地域とが合致しているかを照合し、合致している場合は、ステップ７７で主電源がオン状態か否かを判断し、ステップ７８で、主電源がオン状態ならば緊急事態の旨をＯＳＤまたは警報ブザー１１を使用してユーザーに告知する。主電源がオフ状態（以下、待機状態と表現する）ならば、ステップ７９，７８で、主電源をオンして同様に告知する。ステップ７４で緊急放送中でないと判断された場合は、ステップ８０で、待機状態から主電源をオンしたかを判断し、主電源がオフ状態からオンされて緊急警報された場合、緊急放送開始／終了フラグが終了状態（ｓｔａｒｔ＿ｅｎｄ＿ｆｌａｇ＝０）になると、ステップ８１で自動的に主電源をオフする。
【０００８】
なお、従来、緊急放送システムとしては、特開平７−３３６６６２号公報に開示されたものが知られているが、このシステムは、デジタル放送については特に考慮されていない。
【０００９】
【発明が解決しようとする課題】
ところで、近年、国際的に地球温暖化防止の動きが高まり、同時に電気製品の省エネルギー化が求められている。
【００１０】
しかしながら、上述の従来の緊急放送方式では緊急放送そのものの発生頻度が稀にも関わらず、ＣＡＴＶ受信装置では、ビットストリーム中に緊急放送情報（ｅｍｅｒｇｅｎｃｙ＿ｉｎｆｏｒｍａｔｉｏｎ＿ｄｅｓｃｒｉｐｔｏｒ）の送出を監視するために、待機状態においてチューナーやデジタル復調以外にも、高速クロックで動作するデマルチプレクサーやコントローラを常時通電しておく必要があり、省エネルギーないし温暖化防止上間題があった。
【００１１】
本発明の目的は、緊急放送待機時の省電力化を図ったＣＡＴＶ用放送受信装置を提供することにある。
【００１２】
【課題を解決するための手段】
本発明は、上記の課題を解決するために、次のような手段を採用した。
【００１３】
第１の手段は、ＣＡＴＶ局からデジタル放送される、緊急放送を伝送していることを示すと共に、ＣＡＴＶ局から送信されるデータに挿入されているブロック誤り訂正符号のブロックの先頭を示す同期コードが、通常放送時に用いられる通常同期コードと緊急放送時に用いられる緊急同期コードからなる第１の放送周波数と、緊急放送の開始／終了等の緊急情報データを伝送する第２の放送周波数とを受信可能なＣＡＴＶ用放送受信装置において、前記第１の放送周波数および前記第２の放送周波数と、前記通常同期コードおよび前記緊急同期コードを記憶する記憶手段と、主電源がオフである待機状態において、当該ＣＡＴＶ用放送受信装置を前記第１の放送周波数に同調させる手段と、前記第１の放送周波数の同調状態において、受信された入力ビットストリームと前記緊急同期コードとの同期捕捉を行う同期捕捉手段と、前記同期捕捉手段において同期の確立が得られた時、緊急放送が伝送されていると判断する緊急放送検出手段と、前記緊急放送検出手段において緊急放送が検出された時、前記主電源をオンし、当該ＣＡＴＶ用放送受信装置を前記第２の放送周波数に同調させる手段と、前記第２の放送周波数の同調状態において、前記入力ビットストリーム中に伝送される緊急情報データを参照し、この緊急情報データが緊急放送中であることを示している時は、視聴者に緊急であることを告知する緊急告知手段と、前記緊急情報データが緊急放送終了であることを示している時は、前記緊急の告知を終了し、当該ＣＡＴＶ用放送受信装置をを前記第１の放送周波数に同調させると共に、前記主電源をオフにして待機状態にする手段と、を具備することを特徴とする。
【００１４】
第２の手段は、ＣＡＴＶ局からデジタル放送される、緊急放送を伝送していることを示すと共に、ＣＡＴＶ局から送信されるデータに挿入されているブロック誤り訂正符号のブロックの先頭を示す同期コードが、通常放送時に用いられる通常同期コードと緊急放送時に用いられる緊急同期コードからなる第１の放送周波数と、緊急放送の開始／終了等の緊急情報データを伝送する第２の放送周波数とを受信可能であって、前記第１の放送周波数と第２の放送周波数が等しいＣＡＴＶ用放送受信装置において、前記第１の放送周波数および前記第２の放送周波数と、前記通常同期コードおよび前記緊急同期コードを記憶する記憶手段と、主電源がオフである待機状態において、当該ＣＡＴＶ用放送受信装置を前記第１の放送周波数に同調させる手段と、前記第１の放送周波数の同調状態において、受信された入力ビットストリームと前記緊急同期コードとの同期捕捉を行う同期捕捉手段と、前記同期捕捉手段において同期の確立が得られた時、緊急放送が伝送されていると判断する緊急放送検出手段と、前記緊急放送検出手段において緊急放送が検出された時、前記主電源をオンする手段と、前記緊急放送検出手段において緊急放送が検出された時、誤り訂正後に、前記緊急同期コードを通常同期コードに戻す同期コード付け替え手段と、前記第１の放送周波数の同調状態において、前記入力ビットストリーム中に伝送される緊急情報データを参照し、この緊急情報データが緊急放送中であることを示している時は、視聴者に緊急であることを告知する緊急告知手段と、前記緊急情報データが緊急放送終了であることを示している時は、前記緊急の告知を終了し、前記主電源をオフにして待機状態にする手段と、を具備することを特徴とする。
【００１５】
第３の手段は、第１の手段または第２の手段のいずれか１つの手段において、前記緊急同期コードに緊急放送の対象地域コードを割り当てたことを特徴とする。
【００１６】
第４の手段は、第３の手段において、前記緊急放送検出手段において緊急放送が検出された時、受信された入力ビットストリームの緊急同期コードと前記対象地域コードと比較して、緊急放送の対象地域に該当するかを判断する手段を具備することを特徴とする。
【００１７】
第５の手段は、第１の手段または第２の手段のいずれか１つの手段において、前記同期捕捉手段は、前記通常同期コードと入力ビットストリームの同期が追従できない時は、同期コードを緊急同期コードに変更して、前記入力ビットストリームと前記緊急同期コードとの同期捕捉を行うことを特徴とする。
【００１８】
第６の手段は、第１の手段または第２の手段のいずれか１つの手段において、前記待機状態への移行時、通常同期コードおよび緊急同期コードを常時通電している一時記憶素子に転送する手段を具備することを特徴とする。
【００１９】
第７の手段は、第１の手段または第２の手段のいずれか１つの手段において、前記緊急告知手段は、当該ＣＡＴＶ用放送受信装置に内蔵された警報ブザーおよび／またはオンスクリーンディスプレイにより緊急事態を視聴画面に表示することを特徴とする。
【００２０】
【発明の実施の形態】
はじめに、本発明の第１の実施形態を図１乃至図８に基づいて説明する。
【００２１】
図１は、本実施形態に係るデジタルＣＡＴＶ用放送受信装置の構成を示すブロック図である。
【００２２】
同図において、３は同期処理部、１３は通常同期コードレジスタ、１４は緊急同期コードレジスタ、１５はセレクターであり、その他の構成は図１１に示す同符号の構成に対応する。
【００２３】
本発明のデジタルＣＡＴＶ用放送システムでは、緊急放送時に、緊急放送情報（ｅｍｅｒｇｅｎｃｙ＿ｉｎｆｏｒｍａｔｉｏｎ＿ｄｅｓｃｒｉｐｔｏｒ）を伝送するチャンネル（第２の放送周波数：ＲＦｅｍｅｒｇｅｎｃｙ）と、同期コードを通常放送時と変えることにより緊急放送が発生していることを示すチャンネル（第１の放送周波数：ＲＦｄｅｆａｕｌｔ）がＣＡＴＶ局側に用意され、ＣＡＴＶ用受信装置側にも、これらの情報を予め不揮発メモリー１２に記憶しているものとする。また、通常放送時に送信される同期コード（ＥＴＳ−３００−４２９に準拠した同期コード、以降、通常同期コードという）と、緊急放送時に付け替えられて送られる同期コード（以降、緊急同期コード）もあらかじめ不揮発メモリー１２に記憶されており、ＣＡＴＶ用放送受信装置の設置時に電源コードを電源プラグに差すことにより、それぞれのレジスター１３，１４に転送されるものとする。以下、通常同期コードと緊急同期コードを総称して同期コードと呼ぶことにする。
【００２４】
図２は、図１に示す同期処理部３の詳細な構成を示すブロック図であり、ここで同期処理部３は、図１２に示した同期処理部３０と比べて、同期処理において検出される同期コードを通常同期コードと緊急同期コードから選択できるように改善されており、同期コードを検出して、同期コードが出現する周期（以下、同期パルス）を生成し、同期パルスと入力フレームとの間で同期が確立できているかを確認する同期捕捉部３１と、この同期パルスと入力フレーム間の同期が維持できているかを監視する同期追従部３２と、セレクター１５に対して同期処理部３に入力する同期コードを制御する同期コード制御３３とから構成されている。
【００２５】
図３は、同期捕捉部３１の詳細な構成を示すブロック図である。
【００２６】
同図において、３１１は入力フレームと同期コードの比較を行って同期パルスを発生させるとともに、比較器３１３から再捕捉要求指示を受けた時に入力フレームの位置をフレームに同期したクロック（以降、フレームクロック）でシフトする移相回路を内蔵した比較器、３１２は比較器３１１で比較して一致した時にフレームクロックで次のフレームの同期コードが来るまでカウントする同期パルス幅カウンター、３１３は同期パルス幅カウンター３１２でカウントが終了した後、フレームの値を読んで、同期コードと一致しているかを確認する比較器、３１４は比較器３１１で生成した同期パルスが入カフレームと同期捕捉していることを最終判断するため、比較器３１３の一致回数が所定回数まで達するかを調べる同期捕捉判走カウンターである。
【００２７】
図４は、同期追従部３２の詳細な構成を示すブロック図である。
【００２８】
同図において、３２１は同期捕捉部３１で生成した同期パルスでフレームを一時記憶させるラッチ回路、３２２はラッチされたフレームの値が同期バイトと一致するかを比較する比較器、３２３は比較器３２２での不一致数をカウントする同期外れカウンターである。
【００２９】
次に、同期処理部３の動作を図１乃至図５を参照しながら図６に示すフローチャートを用いて説明する。
【００３０】
先ず図６に示すフローチャートにおいて、ステップ１１で図３に示す同期捕捉部３１の同期捕捉判定カウンター３１４をリセットし、ステップ１２で図示されていない同期捕捉部３１の捕捉失敗カウンターをリセットする。次いで、ステップ１３で、図３に示す同期捕捉部３１の比較器３１１において、入力フレームと同期コードが同一であるかを比較する。同一でない時は、ステップ１４において捕捉失敗カウンターをインクリメントし、ステップ１５で捕捉失敗カウンターが所定回数に達したかを判定し、達成しない場合は、ステップ１６において入力されるフレームをフレームクロックでシフトさせ、再び、ステップ１３で入力フレームと同期コードが同一であるかを比較する。もし、所定回数の再施行操作でも一致が見られなければ、ステップ１７において同期不可能と判定する。一方、フレームと同期コードとの一致が得られれば、ステップ１８において、図３に示す同期パルス幅カウンター３１２をスタートさせ、ステップ１９で、２０４バイトカウントする。ステップ２０において、次フレームの先頭、即ち２０４バイト目でフレームの値が同期コードの値と一致しているかを比較器３１３で比較して確認する。ここで、図５（ａ）に示すように、比較器３１３での比較が一致していれば、ステップ２１で、同期捕捉判定カウンター３１４をインクリメントし、この時点で生成している同期パルスを使用して、フレームと同期パルス間の同期捕捉が確立したと判断する所定回数（Ｋ回）までステップ１８〜ステップ２２の処理を繰り返す。ステップ２０で一致しない場合は、図５（ｂ）に示すように、同期コードと同じ値がフレーム内のデータ領域（同期コード以外の領域）に出現し、比較器３１１で誤ってこのデータを同期コードとして捕えてしまったことによる誤動作を生じたので、この場合は、ステップ２４において、比較器３１１でフレームの位置をフレームクロックでシフトさせて再捕捉を試みる。再捕捉はフレーム周期（２０４回）分繰り返せば得られるはずである。最終的に、ステップ２２で、同期捕捉判定カウンター３１４が捕捉回数をＫ回をカウントした時、フレームの同期捕捉は確立されたと判断し、ステップ２３で、同期パルスをバッファ３１５から後段の同期追従部３２に出力する。
【００３１】
同期捕捉部３１から出力された同期パルスは、図４に示す同期追従部３２に入力され、入力された同期パルスは、ラッチ回路３２１で、同期パルスでフレームを一時記憶させ、さらに比較器３２２で、入力フレームの伝送ジッターやノイズによる影響で同期外れが生じていないかを監視し、同期外れカウンタ３２３において同期外れが著しいと判定された場合は、前段の同期捕捉作業を再度行うよう同期捕捉部３１に対して指示する。
【００３２】
同期捕捉部３１における処理の結果は、図２および図３に示すように、同期捕捉部３１からの指示により、同期コード制御３３は、同期処理部３に出力する同期コードを通常あるいは緊急用にセレクター１５を切り替えて制御する。主電源投入には通常同期コードを出力するように制御される。
【００３３】
以上、同期処理部３について説明したが、実際には同期コードの検出を容易にするため、ＥＴＳ−３００−４２９のように周期的に同期コードを反転させてもよい。
【００３４】
次に、このように構成されるＣＡＴＶ用放送受信装置の待機状態における緊急放送受信時の動作を図８に示すフローチャートを用いて説明する。
【００３５】
ここで、待機状態時に通電されている回路は、図１に示すＣＡＴＶ用放送受信装置において、チューナー１、デジタル復調２、同期処理部３、通常同期コードレジスター１３、緊急同期コードレジスター１４、セレクター１５である。
【００３６】
待機状態時では、チューナー１はＲＦｄｅｆａｕｌｔに同調され、同期処理部３には通常同期コードがロードされている。ステップ３１では通常同期コードが同期処理部３において同期が追従しているかをモニタしている。そこで、通常同期コードで同期が同期処理部３で維持できない時、即ち、同期処理部３の同期捕捉部３１での同期捕捉もできず、または同期追従部３２で同期が外れて同期捕捉部３１での再捕捉を試みても同期が得られない時は、ステップ３２において、同期コード制御部３３によってセレクター１５を制御し、セレクター１５から通常同期コードに代えて緊急同期コードを出力する。同期処理部３では、緊急同期コードを用いて同期捕捉処理を再施行する。ここで緊急同期コードは、単に緊急放送が伝送されていることを示すだけではなく、例えば、図７に示すようなＣＡＴＶ局の事業地域内で地域コードを割り振り、特定の地域にだけ緊急告知を実施するようにすることもできる。ステップ３３で、緊急同期コードが同期しているかを判定し、ロードされた緊急同期コードで同期処理部３において同期を確立できなければ、ステップ４２において、回線不良等の障害が起きたと判断して、次回にユーザーが主電源をオンした時にＯＳＤを介してその旨を告知する等の処理が行われる。
【００３７】
一方、ステップ３３で、緊急同期コードで同期が確立できた場合は、ステップ３４で、発せられている緊急放送の対象地域に該当しているものと判定し、主電源をオン状態にし、不揮発メモリー１２から緊急情報記述子が伝送されているＲＦｅｍｅｒｇｅｎｃｙを読み出して、ステップ３５で、チューナー１をＲＦｅｍｅｒｇｅｎｃｙに同調させる。同時に、ステップ３６において、同期処理部３にロードする同期コードを同期コード制御部３３からセレクター１５に指令を出して、緊急同期コードから通常同期コードに変更して出力させる。ここで、ＲＦｅｍｅｒｇｅｎｃｙは、ＣＡＴＶ局が必ずＪＣＴＥＡ  ＳＴＤ−００３−１．１に準拠した緊急情報記述子（ｅｍｅｒｇｅｎｃｙ＿ｉｎｆｏｒｍａｔｉｏｎ＿ｄｅｓｃｒｉｐｔｏｒ）をＰＭＴまたはＮＩＴに伝送しているチャンネルである。ステップ３７で、緊急情報記述子を取得し、緊急放送が放送中（ｓｔａｒｔ＿ｅｎｄ＿ｆｌａｇ＝１）であれば、ステップ３８において、ＣＡＴＶ用放送受信装置内に装備されている警報ブザー１１を鳴らすか、あるいはＯＳＤを使用して、ユーザーに緊急告知をする。このように起動された緊急告知はｓｔａｒｔ＿ｅｎｄ＿ｆｌａｇ＝０になるまで継続する。ステップ３９で、緊急告知が終了した後、ステップ４０で主電源が待機状態から投入された場合は、ステップ４１でチューナー１をＲＦｄｅｆａｕｌｔに遷移させて、主電源をオフの状態にし、再び待機状態に戻る。
【００３８】
なお、ユーザーが視聴中（主電源オン状態）に、緊急放送が伝送されてきた場合は、同期処理部３には通常同期コードがロードされるので、ＲＦｄｅｆａｕｌｔを含めて、図１５に示す処理に従って、ＰＳＩ／ＳＩから緊急放送情報を抽出して緊急告知する。
【００３９】
次に、本発明の第２の実施形態を図９乃至図１１に基づいて説明する。
【００４０】
第１の実施形態に係るＣＡＴＶ用放送受信装置では、緊急放送時にＲＦｄｅｆａｕｌｔの状態では、同期コードが緊急同期コードになっており、ＲＦｄｅｆａｕｌｔで緊急告知ができない欠点がある。本実施形態はこの欠点を改善したものである。
【００４１】
図９は、本実施形態に係るデジタルＣＡＴＶ用放送受信装置の構成を示すブロック図である。
【００４２】
同図において、２１は同期コード付け替え部であり、その他の構成は図１に示す同符号の構成に対応する。
【００４３】
図１０は、同期コード付け替え部２１の詳細な構成を示す回路図である。
【００４４】
この回路は、ＴＳパケットは前段の誤り訂正部４でフレーム中に存在する誤りを訂正しており、後段のデマルチプレクサー５でデコードするためには同期コードを通常同期コード（値としては４７ヘキサ）に戻せば良いので、セレクター１５から出力される同期コードと通常同期コードを比較して、相違がある場合に同期パルスのタイミングで、即ち、ＴＳパケットの先頭で、同期コードを通常同期コードに書き換える回路である。
【００４５】
次に、このように構成されるＣＡＴＶ用放送受信装置の待機状態における緊急放送受信の動作を図１１に示すフローチャートを用いて説明する。
【００４６】
ここで、待機状態時に常時通電されている回路は、図９に示すＣＡＴＶ用放送受信装置において、チューナー１、デジタル復調２、同期処理部３、通常同期コードレジスター１３、緊急同期コードレジスター１４、セレクター１５である。
【００４７】
待機状態時では、チューナー１はＲＦｄｅｆａｕｌｔに同調されている。即ち、視聴状態から待機状態へ移行する際には、不揮発メモリー１２を読み出すことによって視聴チャンネルからＲＦｄｅｆａｕｌｔに遷移している。また、同期処理部３には通常同期コードがロードされている。ステップ５１で通常同期コードが同期しているかを監視しているが、通常同期コードで同期が同期処理部３で維持できない時、即ち、同期処理部３の同期捕捉部３１での同期捕捉もできず、または同期追従部３２で同期が外れて同期捕捉部３１での再捕捉を試みても同期が得られない時は、ステップ５２において、同期コード制御部３３によってセレクター１５を制御し、セレクター１５から通常同期コードに代えて緊急同期コードを出力する。同期処理部３では、緊急同期コードを用いて同期捕捉処理を再施行する。ステップ５３で、緊急同期コードが同期しているかを判定し、ステップ６０では、緊急同期コードで同期を確立できなければ回線不良等の障害が起きたと判断して、次回にユーザーが主電源をオンした時に告知する等の処理がなされる。
【００４８】
一方、ステップ５３で、緊急同期コードで同期が確立できた場合は、ステップ５４で、発せられている緊急放送の対象地域に該当しているものと判定して主電源をオン状態する。次に、ステップ５５では、ＲＦｄｅｆａｕｌｔに伝送されているＴＳパケットの同期コードを同期コード付け替え部２１で通常同期コードに付け替える。ステップ５６で、緊急情報記述子を取得し、緊急放送が放送中（ｓｔａｒｔ＿ｅｎｄ＿ｆｌａｇ＝１）であれば、ステップ５７において、ＣＡＴＶ用放送受信装置内に装備されている警報ブザー１１を鳴らすか、あるいはＯＳＤを使用して、ユーザーに緊急告知する。このように起動された緊急告知はｓｔａｒｔ＿ｅｎｄ＿ｆｌａｇ＝０になるまで継続する。ステップ５８で、緊急告知が終了した後、ステップ５９で主電源が待機状態から投入された場合は、主電源をオフの状態にして、再び待機状態に戻る。
【００４９】
このように、本実施形態によれば、第１の実施形態において必要としていた緊急放送検出時の主電源オン／オフに伴うチューナー遷移（図８に示すステップ３６，ステップ４２の処理）が不要になるという利便がある。
【００５０】
一方、ユーザーが視聴中（主電源オン状態）に緊急放送が伝送されている場合は、第１の実施形態と同様に、図１５に示す処理によって緊急告知することができる。
【００５１】
【発明の効果】
以上に述べたように、本願第１乃至第７の発明によれば、ＣＡＴＶ用放送受信装置に緊急放送用の同期コードを検出する手段を追加するだけで、緊急放送の有無を判別できるため、従来のもののように高速動作するデマルチプレクサー、コントローラー、さらには誤り訂正部に常時通電することなく緊急放送を受信することができ、省電力化を実現することができる。
【００５２】
また、本願第２の発明によれば、前記第１の発明に比べて、第１の放送周波数のみで緊急告知することができる。
【図面の簡単な説明】
【図１】本発明の第１の実施形態に係るデジタルＣＡＴＶ用放送受信装置の構成を示すブロック図である。
【図２】図１に示す同期処理部３の詳細な構成を示すブロック図である。
【図３】図２に示す同期捕捉部３１の詳細な構成を示すブロック図である。
【図４】図２に示す同期追従部３２の詳細な構成を示すブロック図である。
【図５】図３に示す比較器３１３の動作を説明するための同期コードとフレームクロックの波形図である。
【図６】図３に示す同期捕捉部３１の動作を説明するためのフローチャートである。
【図７】ＣＡＴＶ局の事業地域内で割り振られた地域コード示す図である。
【図８】第１の実施形態に係るＣＡＴＶ用放送受信装置の待機状態における緊急放送受信時の動作を示すフローチャートである。
【図９】第２の実施形態に係るデジタルＣＡＴＶ用放送受信装置の構成を示すブロック図である。
【図１０】図９に示す同期コード付け替え部２１の詳細な構成を示す回路図である。
【図１１】第２の実施形態に係るＣＡＴＶ用放送受信装置の待機状態における緊急放送受信時の動作を示すフローチャートである。
【図１２】従来技術に係るデジタルＣＡＴＶ用放送受信装置のブロック図である。
【図１３】ＩＳＯ／ＩＥＣ１３８１８−１で規定されているＭＰＥＧ２トランスポートパケット（以下、ＴＳパケット）である。
【図１４】ＣＡＴＶ局から伝送される緊急情報記述子である。
【図１５】従来技術に係るデジタルＣＡＴＶ用放送受信装置における緊急放送受信時の動作フローを示す図である。
【符号の説明】
１  チューナー
２  デジタル復調器
３  同期処理部
３１  同期捕捉部
３１２  比較器
３１２  同期パルス幅カウンター
３１３  比較器
３１４  同期捕捉判定カウンター
３１５  バッファ
３２  同期追従部
３２１  ラッチ
３２２  比較器
３２３  同期外れカウンター
３３  同期コード制御部
４  誤り訂正部
５  デマルチプレクサー
６  ビデオデコーダ
７  オーディオデコーダ
８，９  Ｄ／Ａ変換器
１０  コントローラ
１１  警報ブザー
１２  不揮発メモリー
１３  通常同期コードレジスタ
１４  緊急同期コードレジスタ
１５  セレクター
【図１】
0003549454.tif 000002
【図２】
0003549454.tif 000003
【図３】
0003549454.tif 000004
【図４】
0003549454.tif 000005
【図５】
0003549454.tif 000006
【図６】
0003549454.tif 000007
【図７】
0003549454.tif 000008
【図８】
0003549454.tif 000009
【図９】
0003549454.tif 000010
【図１０】
0003549454.tif 000011
【図１１】
0003549454.tif 000012
【図１２】
0003549454.tif 000013
【図１３】
0003549454.tif 000014
【図１４】
0003549454.tif 000015
【図１５】
0003549454.tif 000016